(57)【要約】      （修正有）【課題】大型構造物の基板表面のコーティング塗布において、特定の許容誤差内でコーティングの厚さや均一性を確保できるシステムの提供。【解決手段】実質的に均一なコーティングを堆積させるためのシステム１０であって、少なくとも１つの状態パラメータ及び少なくとも1つの基板パラメータを検出するように構成された少なくとも１つの検出器１４、コントローラ１６、少なくとも１つの状態パラメータ及び少なくとも1つの基板パラメータのうち少なくとも１つの収集を含み、前記コントローラと通信する少なくとも１つのメモリ１９、及び前記コントローラと通信するコーティング材アプリケータ１２を備え、前記コントローラが、前記コーティング材アプリケータから基板へのコティング材の放出を調整するように構成され、コーティング材の前記放出が、少なくとも１つの状態パラーメータ又は少なくとも１つの基板パラメータに応じて行われる。【選択図】図１
2020104100.tif 000002
【特許請求の範囲】
【請求項１】
実質的に均一なコーティングを堆積させるためのシステム（１０）（２０）（３０）（４０）であって、
少なくとも１つの状態パラメータ及び少なくとも１つの基板パラメータを検出するように構成された少なくとも１つの検出器（１４）（２４）（３４ａ）（３４ｂ）（６８）（７８）（７８’）、
コントローラ（１６）（２６）（３６）（４６）（６９）、
少なくとも１つの状態パラメータ又は少なくとも１つの基板パラメータのうちの少なくとも１つの収集を含み、前記コントローラと通信する少なくとも１つのメモリ（１９）（２９）（３９ａ）（３９ｂ）（４９）、及び
前記コントローラと通信するコーティング材アプリケータ（１２）（２２）（３２）（４２）
を備え、
前記コントローラが、前記コーティング材アプリケータから基板へのコーティング材の放出を調節するように構成され、コーティング材の前記放出が、少なくとも１つの状態パラメータ又は少なくとも１つの基板パラメータに応じて行われるように構成され、前記基板（６７）が、基板表面（６７ａ）を有する、システム（１０）（２０）（３０）（４０）。
【請求項２】
前記状態パラメータが、周囲相対湿度、周囲温度、コーティング材の流量、距離、及び堆積されたコーティング材の厚さのうちの少なくとも１つを含む、請求項１に記載のシステム。
【請求項３】
前記基板パラメータが、基板識別子、基板形状、基板位置、前記基板表面から前記コーティング材アプリケータへの距離、前記基板表面に対する前記コーティング材の堆積の角度、前記コーティング材アプリケータに対する前記基板の運動を表す運動パターン、及び堆積されたコーティング材の厚さのうちの少なくとも１つを含む、請求項１又は２に記載のシステム。
【請求項４】
前記状態パラメータ及び前記基板パラメータのうちの少なくとも１つの存在、並びに
前記状態パラメータ及び前記基板パラメータのうちの少なくとも１つの不在
のうちの少なくとも１つを合図するように構成されたディスプレイ（１８）（２８）（３８）（４８）（７１）をさらに備えている、請求項１から３のいずれか一項に記載のシステム。
【請求項５】
前記ディスプレイが、視覚的インジケータ、聴覚的インジケータ、及び触覚的インジケータのうちの少なくとも１つを含む、請求項４に記載のシステム。
【請求項６】
少なくとも１つの状態パラメータを検出するように構成された第１の検出器であって、当該第１の検出器が、第１のメモリと通信し、前記第１のメモリが、少なくとも１つの状態パラメータの収集を含む、第１の検出器、及び
少なくとも１つの基板パラメータを検出するように構成された第２の検出器であって、当該第２の検出器が、第２のメモリと通信し、前記第２のメモリが、少なくとも１つの基板パラメータの収集を含む、第２の検出器
をさらに備えている、請求項１から５のいずれか一項に記載のシステム。
【請求項７】
コーティング材アプリケータからコーティング材を、基板表面を有する基板に供給するための方法（８０）（９０）（１００）であって、
検出された状態パラメータ値を形成するために、状態パラメータ検出器で少なくとも１つの状態パラメータを検出することであって、前記状態パラメータ検出器が、コントローラと通信する、少なくとも１つの状態パラメータを検出すること（９２）（１０１）と、
状態パラメータメモリから状態パラメータ値範囲にアクセスすること（９３）（１０２）と、
前記状態パラメータメモリからの前記状態パラメータ値範囲を前記検出された状態パラメータ値と比較すること（９４）と、
状態パラメータ値信号を前記コントローラに送信すること（９６）（１０５）と、
検出された基板パラメータ値を形成するために、基板パラメータ検出器で少なくとも１つの基板パラメータを検出することであって、前記基板パラメータ検出器が、前記コントローラと通信する、少なくとも１つの基板パラメータを検出すること（８１）と、
基板パラメータメモリから基板パラメータ値範囲にアクセスすること（８２）（１０４）と、
前記基板パラメータメモリからの前記基板パラメータ範囲を前記検出された基板パラメータ値と比較すること（８３）と、
基板パラメータ値信号を前記コントローラに送信すること（８４）（１０６）と、
前記コーティング材アプリケータからの所定量のコーティング材の放出を制御すること（８５）（９８）と
を含む、方法。
【請求項８】
コーティング堆積速度を決定することと、
前記コーティング材の前記コーティング堆積速度を制御することと
をさらに含む、請求項７に記載の方法。
【請求項９】
少なくとも１つの検出された状態パラメータ値又は少なくとも１つの基板パラメータ値に基づいて、前記コーティング材アプリケータから前記所定量の前記コーティング材を放出すること（１０７）をさらに含む、請求項７又は８に記載の方法。
【請求項１０】
前記コーティング材アプリケータからの所定量のコーティング材の放出を制御するステップにおいて、
前記コントローラから前記コーティング材アプリケータに送信された少なくとも１つの基板パラメータ信号に応答して、前記コーティング材アプリケータから前記所定量の前記コーティング材を放出すること（１０７）をさらに含む、請求項７から９のいずれか一項に記載の方法。
【請求項１１】
前記コーティング材アプリケータからの所定量の前記コーティング材の放出を制御するステップにおいて、
前記コーティング材アプリケータからの前記所定量のコーティング材の放出を終了することを含む、請求項７から１０のいずれか一項に記載の方法。
【請求項１２】
実質的に均一なコーティングを前記基板表面に供給すること
をさらに含む、請求項７から１１のいずれか一項に記載の方法。
【請求項１３】
第１の検出器で少なくとも１つの状態パラメータを検出するステップにおいて、
学習した限界値から状態パラメータを開発することをさらに含む、請求項７から１２のいずれか一項に記載の方法。
【請求項１４】
前記コーティング材アプリケータから前記所定量の前記コーティング材を放出することが、
実質的に均一なコーティングを前記基板表面に自動的に方向付けることをさらに含む、請求項７から１３のいずれか一項に記載の方法。
【請求項１５】
前記コーティング材アプリケータから前記所定量のコーティング材を放出することが、
実質的に均一なコーティングを前記基板表面に手動で方向付けることをさらに含む、請求項７から１４のいずれか一項に記載の方法。
【発明の詳細な説明】
【技術分野】
【０００１】
本開示は、概して、コーティングの方法、システム、及び装置の分野に関する。より具体的には、本開示は、基板表面にコーティング材を供給するための、手動式の又は自動化されたシステム及び装置の分野に関する。
【背景技術】
【０００２】
多くの大型構造物は、基板表面を有する基板を備えており、基板表面は、塗装、下塗り、又はさらなるコーティング塗布を必要とする。場合によっては、このようなコーティングは、例えば、人間の職人によって手動で基板表面に施される。このようなコーティングは、特定の許容誤差内で、コーティングの厚さ、そして可能である場合、コーティングの実質的な均一性に特に注意して供給しなければならないことが多い。これは、大型構造物がとりわけ複雑な形状、湾曲、不規則な表面等を含むときに特に当てはまる。
【発明の概要】
【０００３】
本態様は、少なくとも１つの検出器を含む装置で実質的に均一なコーティングを堆積させるためのシステムを開示する。当該検出器は、少なくとも１つの状態パラメータ及び／又は少なくとも１つの基板パラメータを検出するように構成されている。当該システムは、少なくとも１つのメモリと通信するコントローラをさらに含み、当該メモリは、少なくとも１つの状態パラメータ及び／又は少なくとも１つの基板パラメータのうちの少なくとも１つの拡大可能な収集を含む。当該システムは、コーティング材アプリケータをさらに含み、コーティング材アプリケータは、コントローラと通信する。コントローラは、コーティング材アプリケータから基板へのコーティング材の放出を調節するように構成されており、コーティング材の放出は、少なくとも１つの状態パラメータ及び／又は少なくとも１つの基板パラメータに応じて行われるように構成されている。基板は、基板表面を有する。
【０００４】
別の態様によれば、状態パラメータは、周囲相対湿度、周囲温度、コーティング材の流量、コーティング材の特性（適切な成分濃度、例えば、コーティング材懸濁液であり得るコーティング材混合物の特性の存在を含む）、検出された距離、検出された角度、検出された位置、堆積されたコーティングの厚さ等、及びこれらの組み合わせのうちの少なくとも１つを含む。
【０００５】
さらなる態様によれば、基板パラメータは、基板識別子、基板形状、基板位置、基板表面から噴射コーティング装置への距離、基板表面に対するコーティング材の堆積の角度、コーティング材アプリケータに対する基板の運動を表す運動パターン、及び堆積されたコーティング材の厚さのうちの少なくとも１つを含む。
【０００６】
別の態様によれば、コントローラ及び検出器は、単一のユニットに組み込まれる。この単一のユニットは、例えば、噴射コーティング材アプリケータなどのコーティング材アプリケータであり得る。
【０００７】
さらなる態様は、例えば、噴射コーティングアプリケータであり得るコーティング材アプリケータを対象としており、コーティング材アプリケータは、少なくとも１つの検出器を含み、少なくとも１つの検出器は、少なくとも１つの状態パラメータ及び／又は少なくとも１つの基板パラメータのうちの少なくとも１つを検出するように構成されている。コーティング材アプリケータは、コーティング材アプリケータからのコーティング材の流れを調節するように構成されたコントローラ、並びに状態パラメータ及び基板パラメータのうちの少なくとも１つの存在及び／又は不在のうちの少なくとも１つを示すように構成されたディスプレイをさらに含む。コーティング材アプリケータは、コントローラをさらに含むか、又はコントローラと通信する。コントローラは、コーティング材アプリケータから基板への一定量のコーティング材の放出及び／又は制御を調節するようにさらに構成されている。一定量のコーティング材の放出及び／又は制御は、少なくとも１つの状態パラメータ及び／又は少なくとも１つの基板パラメータに応じて行われるように構成されている。基板は、基板表面を有する。
【０００８】
さらなる態様では、コーティング材アプリケータのコントローラは、少なくとも１つのメモリと通信する。当該メモリは、少なくとも１つの状態パラメータ、又は少なくとも１つの基板パラメータのうちの少なくとも１つの拡大可能な収集を含む。
【０００９】
さらなる態様は、コーティング材アプリケータから基板へのコーティング材の供給又は放出を、制御、変更、実行、及び／又は終了するための方法を対象としている。当該基板は、基板表面を有しており、当該方法は、検出された状態パラメータ値を形成するために、状態パラメータ検出器で少なくとも１つの状態パラメータを検出することであって、状態パラメータ検出器が、コントローラと通信する、少なくとも１つの状態パラメータを検出することと、状態パラメータメモリから状態パラメータ値範囲にアクセスすることと、状態パラメータメモリからの状態パラメータ値範囲を検出された状態パラメータ値と比較することと、状態パラメータ値信号をコントローラに送信することと、検出された状態パラメータ値を形成するために、基板パラメータ検出器で少なくとも１つの基板パラメータを検出することであって、基板パラメータ検出器が、コントローラと通信する、少なくとも１つの基板パラメータを検出することと、基板パラメータメモリから基板パラメータ値範囲にアクセスすることと、基板パラメータメモリからの基板パラメータ範囲を検出された基板パラメータ値と比較することと、基板パラメータ値信号をコントローラに送信することと、コーティング材アプリケータからの所定量のコーティング材の放出を制御（例えば、放出の変更、遅延、終了、調節等）することとを含む。
【００１０】
別の態様では、コーティング材の堆積速度を決定することと、コーティング材の堆積速度を制御（例えば、変更、遅延、終了、調節等）することと
をさらに含む方法が開示される。
【００１１】
別の態様では、当該方法は、少なくとも１つの検出された状態パラメータ値又は少なくとも１つの基板パラメータ値に基づいて、コーティング材アプリケータから所定量のコーティング材を放出することさらに含む、
【００１２】
さらなる態様では、当該方法は、コントローラからコーティング材アプリケータに送信された少なくとも１つの基板パラメータ信号に基づいて、コーティング材アプリケータから所定量のコーティング材を放出することをさらに含む。
【００１３】
さらなる態様は、コーティング材アプリケータからの所定量のコーティング材の放出を終了することをさらに含む。
【００１４】
さらなる態様では、当該方法は、学習した限界値から状態パラメータ及び／又は基板パラメータを開発することを含む。この限界値は、例えば、（時間をかけてコーティング材アプリケータをユーザ向けにカスタマイズするために）、本開示のシステム及び装置が、ユーザ（例えば、オペレータ）のコーティング材の塗布の好みやコーティング材の塗布技法等に接することによる機械的な学習を通して学習したものである。
【００１５】
上述の特徴、機能、及び利点は、様々な態様において単独で実現することができ、又は、さらに別の態様において組み合わせることができるが、これらのさらなる詳細は、以下の説明及び添付図面を参照することによって確認することができる。
【図面の簡単な説明】
【００１６】
本開示の変形例について一般的な用語で説明してきたが、これから添付の図面を参照する。これらは必ずしも縮尺通りに描かれている訳ではない。
【００１７】
【図１】本開示の一態様のボックス図である。
【図２】本開示の一態様のボックス図である。
【図３】本開示の一態様のボックス図である。
【図４】本開示の一態様のボックス図である。
【図５】航空機の図解である。
【図６Ａ】本開示の一態様に係る、装置、システム、及び方法の斜視側面図である。
【図６Ｂ】本開示の一態様に係る、装置、システム、及び方法の斜視俯瞰図である。
【図６Ｃ】本開示の一態様に係る、装置、システム、及び方法の斜視俯瞰図である。
【図６Ｄ】本開示の一態様に係る、装置、システム、及び方法の斜視俯瞰図である。
【図７Ａ】本開示の一態様に係る、装置、システム、及び方法の斜視側面図である。
【図７Ｂ】本開示の一態様に係る、装置、システム、及び方法の斜視俯瞰図である。
【図８】本開示の一態様に係る方法を概説するフロー図である。
【図９】本開示の一態様に係る方法を概説するフロー図である。
【図１０】本開示の一態様に係る方法を概説するフロー図である。
【発明を実施するための形態】
【００１８】
本開示は、特定の条件及び／若しくはパラメータを検出及び／若しくは確認した後、又は検出及び／若しくは確認したことに応答して、コーティング材アプリケータから基板表面に供給されたコーティング材の塗布を制御し、コーティング材の堆積の速度及び／又は度合いを変更（例えば、コーティング材の放出を保留、中止、又は抑制若しくは遅延することを含む）するための装置、システム、及び方法を対象とする態様を考慮している。本明細書に開示された本装置、システム、及び方法は、コーティング材アプリケータからコーティング材を放出する前に、様々な環境的「状態パラメータ」及び／又は様々な「基板パラメータ」が、満たされたか又は満たされていないかを検出、確認、及び／又は警告する。
【００１９】
さらなる態様によれば、本明細書に開示された本装置、システム、及び方法は、開始されたコーティング材堆積プロセス及び／又はプロトコールの間、コーティング材アプリケータからコーティング材を継続的に放出する前に、様々な環境的状態パラメータ及び／又は様々な基板パラメータが、許容可能な程度又は「状態」の範囲（例えば、所定の値又は所定の値範囲）内に維持されているか又は維持されていないかを検出、確認、及び／又は警告する。このような場合、様々な環境的状態パラメータ及び／若しくは様々な基板パラメータが、変わったとき、又はもはや所定の度合い（例えば、所定の値）で存在しないとき、又はもはや許容可能な値の所定の範囲内にないとき、本開示の装置、システム、及び方法は、検出された変わった１つ又は複数のパラメータに応じて、且つ検出された１つ又は複数のパラメータの変化を潜在的に補正するために、コーティング材アプリケータから放出されているコーティング材の堆積速度を変更（例えば、加速又は減速）する。
【００２０】
さらなる場合では、様々な環境的状態パラメータ及び／又は様々な基板パラメータが、所定の値から変化若しくは偏差するか、又は（例えば、コーティング材堆積プロセスの間又は「実行時（ｒｕｎ）」に）許容可能な所定の値範囲外に変化若しくは偏差する場合、コーティング材アプリケータからのコーティング材の放出が自動的に中止され得る。開示されたシステム及び／又は装置がユーザによって手動で操作されている手動モードでは、システム／装置は、コーティング材アプリケータからのコーティング材の放出を中止する前にユーザに偏差を警告するか、又はユーザにアプリケータを停止させるように指令を与えることになる。
【００２１】
本開示の態様によれば、当該システムは、少なくとも１つの状態パラメータ又は状態特性を検出又は感知することが可能な少なくとも１つの検出器又はセンサを含む。本開示の目的のために、「検出器」と「センサ」といった用語は、交換可能に用いられる等価の用語である。検出器は、複数の検出ビームを供給することができ、又は複数の検出器は、「立体的に（ｉｎ  ｓｔｅｒｅｏ）」存在し得る１つ以上のビームを供給することが可能であり、これにより、検出器から生じる信号は、三次元評価をもたらし得る。
【００２２】
さらなる態様によれば、状態パラメータの非網羅的なリストには、例えば、温度や湿度等を含む周囲要因又は環境要因が含まれ得る。さらなる状態パラメータには、コーティングアプリケータから施されたコーティング材の放出若しくは状態（例えば、リアルタイム組成）を対象とした要因、並びに／又はコーティング材アプリケータから基板表面へのコーティング材の供給及び／若しくは塗布を対象とする要因等が含まれ得る。この場合、このような状態パラメータには、コーティング材アプリケータからのコーティング材の放出を制御することに関連する特性を監視する又はさもなければ考慮する要因が含まれ得る。
【００２３】
このような要因には、例えば、コーティング材アプリケータから放出されたコーティング材の流れの速度及び／又は加速度、コーティング材アプリケータから施されるコーティング材の部分的容積及び／又は総容積、コーティング材アプリケータと連通しているタンク又はその他の供給保管手段に残留しているコーティング材の部分的容積及び／又は総容積、コーティング材の粘度、基板に堆積されたコーティングの厚さ、コーティング材アプリケータから放出された噴射コーティングの基板に対する角度等が含まれ得る。本開示の目的のために、コーティングアプリケータからコーティング材の「放出」又はコーティング材を「放出する」という文脈における「放出（ｒｅｌｅａｓｅ）」という用語は、このようなコーティング材をコーティング材アプリケータから解放することを含む操作、及び材料の流れを変更したり、弱めたり、影響付与したり、増加したり、又は減少したりすることを含む操作を暗示しており、さらに、既存のコーティング材の流れを停止することや、コーティング材アプリケータからのコーティング材の初期的解放を防止することを含む、コーティング材アプリケータからのコーティング材の放出を抑制（例えば、その開始を防げる）ことを暗示する。
【００２４】
別の態様では、当該システムは、少なくとも１つの状態パラメータを検出可能な１つ以上の上述の検出器又はセンサを含み、且つ少なくとも１つの基板パラメータを検出又は感知することが可能な少なくとも１つのセンサ又は検出器をさらに含む。基板パラメータは、本明細書では、「基板特性」と同じく呼ばれ、交換可能に使用される。基板パラメータの非網羅的なリストには、例えば、部品識別子、部品識別コード、コーティングコード、表面輪郭、部品寸法などが含まれる。本開示のために、用語「部品」は、用語「基板」と等価であり、交換可能に使用される。さらに、用語「部品表面」は、用語「基板表面」と等価であり、本明細書では、交換可能に使用される。
【００２５】
別の態様によれば、コーティング材アプリケータは、コーティング材アプリケータの動作の様々な特徴を調節するためのコントローラを含む噴射コーティング材アプリケータ（例えば、「噴射ガン」又は「噴射アプリケータ」）、及び１つ以上の検出器を含むが、これらに限定されない。１つ以上の検出器は、少なくとも１つの状態パラメータ及び／又は少なくとも１つの基板パラメータを検出する。コーティング材アプリケータは、ワンド、ストリップアーム等を含み得る。検討されているコーティング材アプリケータは、コーティング材を供給するための１つ以上のノズルをさらに含み得る。
【００２６】
検討されているコーティング材は、流動可能な固体（例えば、固体粒子又は固体粉末）、液体、及び／又はガスの形態を含む。さらなる態様によれば、コーティング材は、噴射コーティング材である。噴射コーティング材は、圧力又は力が加えられた状態でコーティング材の粒子流を形成し得るコーティング材であり、これにより、コーティング材の流れは、静電噴射ガンを含む噴射形態となる。
【００２７】
さらなる態様によれば、コーティング材アプリケータは、コントローラが、例えば、ストレージ、メモリ、ライブラリ等から信号を受信するまで、動作モード（例えば、「オン」状態又は「オンモード」の開始等）に入ることができない。本開示の目的のために、用語「ストレージ」、「メモリ」、「アクセス可能メモリ」、「検索可能メモリ」、「メモリ／ライブラリ」、及び「ライブラリ」は、等価の用語であり、交換可能に使用される。１つ以上の状態パラメータ及び／又は１つ以上の基板パラメータが検出されると、様々な状態パラメータ及び／又は基板パラメータに関する情報が、状態パラメータの収集及び／又は基板パラメータの収集を収容するメモリから取り出される。検出器又はセンサによって検出又は感知された状態パラメータ及び／又は基板パラメータは、メモリからの取り出された情報と比較され、動作の開始、放出、コーティング材流の放出継続、コーティング材流の放出の変更（例えば、コーティング材放出速度又はコーティング材堆積速度の変更等）、又はコーティング材アプリケータからのコーティング材の流れの終了を目的として、信号が、例えば、コントローラに送信される。
【００２８】
本開示を目的として、「放出の制御」とは、関連付けられたコーティング材アプリケータから放出され得るコーティング材の分量（及び、例えば、流量）に対するコントローラの影響を説明する様々な用語を包含する。つまり、コーティング材の「放出の制御」という表現には、例えば、コーティング材アプリケータの動作の開始、コーティング材の放出、コーティング材の特定の及び所望の流量の実現、維持、又は継続、コーティング材の特定の及び所望の流量の変更（例えば、増加又は減少等）、並びにコーティング材アプリケータからターゲット（例えば、基板又は部品表面）へのコーティング材の特定の及び所望の流量の終了が含まれる。
【００２９】
本開示に係る態様が、図１で概説されている。図１は、例えば、噴射コーティング材アプリケータであり得るコーティング材アプリケータ１２を含むシステム１０を示し、システム１０は、少なくとも１つの検出器１４を含む。コーティング材アプリケータ１２は、好ましくは正圧の下で基板表面へ流体の流れを供給することが可能な任意の装置であり得る。典型的なコーティング材アプリケータは、噴射コーティング「ガン」、「ワンド」、又は「アーム」を含む。これらは、携帯式且つ手動使用可能であり得、又は、自動化モード（例えば、ロボット等の使用）若しくは手動モードにより、コーティング材アプリケータから基板表面への所定量の噴射コーティング材を供給するためのロボットアセンブリに取り付けられるか、又は関連付けられ得る。コーティング材アプリケータ１２は、本明細書で提示され、本開示の態様に係る構成要素を含むように構成され得る。コーティング材アプリケータ１２は、本態様に倣うように、必要な構成要素を後付けで追加することができる。
【００３０】
検出器１４は、所望のパラメータ（例えば、所望の特性等）を認知（例えば、検出、感知等）することが可能な任意の検出器又はセンサであり得る。本態様によると、検出器１４は、少なくとも１つの状態パラメータ及び／又は少なくとも１つの基板パラメータを認識する。さらなる態様では、１つより多くの検出器が、システム１０内に存在しており、コーティング材アプリケータ１２に関連付けられる。状態パラメータに関連して、検出器１４は、少なくとも、コーティング材アプリケータ１２に直ぐ隣接する又はコーティング材アプリケータ１２の近傍の周囲の状態の値を検出且つ記憶する。このような状態パラメータには、例えば、周囲湿度や周囲温度等が含まれる。
【００３１】
さらなる状態パラメータには、例えば、基板表面に対するコーティング材アプリケータ１２の位置付け又は配向を含む、コーティング材アプリケータ１２の位置付けが含まれる。  検出器１４は、コーティング材アプリケータ１２の特定の及び／又は規定された位置を積極的に判定するための、全地球測位システム又はその他の測位システムを含み得るか、又は全地球測位システム又はその他の測位システムと通信し得る。検出器１４は、例えば、基板表面などの別の物体に対するコーティング材アプリケータ１２の場所又は位置を判定可能な構成要素をさらに組み込むか、又はこのような構成要素と通信し得る。例えば、検出器１４は、例えば、基板表面からコーティング材アプリケータ（及び／又は例えば、コーティングアプリケータのヘッド又はノズル等のコーティングアプリケータ上の特徴）への距離を含む、特定の又はおよその距離を判定するために、エネルギービームを発し得る構成要素（例えば、レーザ、ＩＲエミッタ、ソナー等）をさらに組み込むか、又はこのような構成要素と通信し得る。
【００３２】
検出器１４は、例えば、基板表面などの物体に対するコーティング材の流れの角度を判定することを目的として、コーティング材アプリケータ自体の配向を判定するための、又は別の物体（例えば、基板表面等）に対するコーティング材アプリケータの相対的位置を判定するためのジャイロスコープ手段又はその他の手段をさらに組み込むことができる。つまり、基板表面に対して直角にコーティング材の流れを排出、放出、又はさもなければ供給する位置でコーティング材アプリケータを維持することが望ましい場合、検出器１４は、基板表面に対する（例えば、基板表面に対しておよそ又は実質的に直角の）所望のコーティング材供給角度（例えば、約９０°の所望のコーティング材供給角度）からの角度（例えば、コーティング材供給角度）及び／又は角度偏差（例えば、コーティング材供給偏差角度）を認知又はさもなければ検出するのに必要な構成要素を含み得る。
【００３３】
図１にさらに示すように、検出器１４は、コントローラ１６と通信しており、メモリ１９とさらに通信している。図１に示す態様では、検出器１４は、状態パラメータ及び／又は基板パラメータを検出する。検出器１４は、次いで、メモリ１９から情報を要求するか、又はメモリ１９内に記憶された情報にアクセスする。情報は、メモリ１９からコントローラ１６又はコントローラ１６と通信するプロセッサ（例えば、処理回路を備えた演算装置（図１に図示せず））に送信される。本開示の態様によれば、検出器１４によって検出された状態パラメータ及び／又は基板パラメータは、「標準」の値若しくは範囲、又は、検出された特定のパラメータに対して許容可能な値若しくは範囲と比較される。「標準」の値若しくは範囲は、コントローラ１６若しくはコントローラ１６と通信するプロセッサ（図示せず）内にあらかじめプログラミングすることができ、又は、「標準」の値若しくは範囲は、メモリからアクセスし、且つコントローラ１６若しくは関連付けられたプロセッサ（図示せず）によってアクセスすることができる。検討された態様では、信号は、次いで、コントローラ１６から、システム１０内に存在する様々な機能部（例えば、ディスプレイ、圧力活性装置（ｐｒｅｓｓｕｒｅ  ａｃｔｉｖａｔｏｒｓ）、油圧ポンプ、空気圧ポンプ、モータ等）に送信される。図１は、コントローラ１６と通信するディスプレイ１８を示す。一態様によれば、ディスプレイ１８は、特定の状態パラメータ及び／又は基板パラメータの存在又は不在を明らかにするインジケータの形態であり得る。ディスプレイは、特定の状態パラメータ及び／又は基板パラメータの存在及び／又は不在の視覚的インジケータ（例えば、ＬＥＤ及び／若しくはその他の光表示等）、聴覚的インジケータ（例えば、可聴警報及び／若しくはその他の音等）、並びに／又は触覚的インジケータ（例えば、振動や軽微な電気ショック等）を、単独で又は組み合わせにより、合図、且つさもなければ提供及び／又は表示するように構成され得る。図１は、検出器１４が信号をメモリ／ライブラリ１９に送信し、次いで、メモリ／ライブラリが情報をコントローラ１６に送信することが可能であることを示しているが、本開示の態様では、代替的な構成が考えられている。
【００３４】
図２は、例えば、本開示の態様に係るシステム２０を概説するさらなる図解を示し、システム２０は、例えば、噴射コーティング材アプリケータであり得るコーティング材アプリケータ２２を含み、システム３０は、少なくとも１つの検出器２４を含む。コーティング材アプリケータ２２及び検出器２４は、コーティング材アプリケータ１２及び検出器１４（図１に示す）に関連する上述の特徴及び機能と少なくとも同等の又は異なる特徴及び機能を含み得る。図２に示すように、コントローラ２６が、メモリ２９に／から信号を送受信することが可能であるように、検出器２４は、コントローラ２６と通信している。コントローラ２６は、メモリ２９に／から、信号の送信と受信の両方を行うことができる。図２に示すように、メモリ２９内に記憶された情報は、コントローラ２６によってアクセスされ、コントローラ２６に送信される。このコントローラ２６は、ディスプレイ２８と通信する。メモリ２９及びディスプレイ２８は、メモリ１９及びディスプレイ１８（図１に示す）に関連する、本明細書に記載された特徴及び機能と同等の又は異なる特徴及び機能を含み得る。
【００３５】
図３は、本開示のさらなる態様を概説する図である。図３に示すように、システム３０は、例えば、噴射コーティング材アプリケータであり得るコーティング材アプリケータ３２を含み、システム３０は、第１の検出器３４ａ及び第２の検出器３４ｂとして表される複数の検出器を含むが、システム３０は、示されている２つの検出器より多くの検出器をさらに含み得る。システム３０は、２つの専用メモリ３９ａ及び３９ｂをさらに含む。より具体的には、状態パラメータメモリ３９ａ（図３で「Ｃ．Ｐ．（ｃｏｎｄｉｔｉｏｎ  ｐａｒａｍｅｔｅｒ）メモリ／ライブラリ」として示される）は、第１の検出器３４ａ及びコントローラ３６と通信しているように示される。第１の検出器３４ａは、１つ以上の状態パラメータの検出を担当する検出器であり得る。基板パラメータメモリ３９ｂ（図３で「Ｓ．Ｐ．（ｓｕｂｓｔｒａｔｅ  ｐａｒａｍｅｔｅｒ）メモリ／ライブラリ」として示される）は、第２の検出器３４ｂ及びコントローラ３６と通信しているように示される。第２の検出器３４ｂは、１つ以上の基板パラメータの検出を担当する検出器であり得る。
【００３６】
図３にさらに示すように、特定の状態パラメータ値を第１の検出器３４ａによって検出することができる。第１の検出器３４ａは、状態パラメータメモリ３９ａから、関連する状態パラメータ値又は許容可能な状態パラメータ値範囲にアクセスするために、信号を送信する。検出された状態パラメータ値は、状態パラメータメモリ３９ａからアクセスした記憶された状態パラメータ値及び／又は状態パラメータ範囲と比較され、信号がコントローラ３６に送信される。次いで、コントローラ３６が活性化し、コーティング材アプリケータ３２を起動したり、コーティング材アプリケータ３２からのコーティング材の流れを減少又は変更したり、コーティング材アプリケータ３２からのコーティング材の流れを停止したり、コーティング材アプリケータ３２からのコーティング材の流れの開始又は放出を抑制したりする（「オフモード」（例えば、システム３２を動作可能にしたり、起動したり、又はターンオンすることを許可しない等））。さらに、コントローラ３６、又はシステム３２内に含まれる別の構成要素（図３に示される場合もあり、示されない場合もある）は、１つ以上の状態パラメータのステータスを証明する信号をディスプレイ３８に送信する。例えば、図３に示すように、検出された状態パラメータが、状態パラメータメモリ３９ａ内に記憶された及び／又は状態パラメータメモリ３９ａからアクセスした状態パラメータ値を満たすか、又は満たすことに失敗した場合（又はアクセスされた許容可能な状態パラメータ範囲内に入るか、若しくは該範囲に入らない場合）、コントローラ３６は、ディスプレイを起動して、検出された状態パラメータ（又は状態パラメータ範囲）に関する情報を受信することにより、ユーザに対して、システム３０が、例えば、起動可能であるか、停止されているか、且つ／又は影響を受けている若しくはさもなければ変更されていることを示し、且つ、例えば、コーティング材アプリケータ３２から放出されているコーティング材の流量に影響を与えることができる。
【００３７】
図３にさらに示すように、特定の基板パラメータ値を第２の検出器３４ｂによって検出することができる。第２の検出器３４ｂは、基板パラメータメモリ３９ｂ（図３で「Ｓ．Ｐ．メモリ／ライブラリ」として示す）から、関連する基板パラメータ値及び／又は許容可能な基板パラメータ値範囲にアクセスするために、信号を送信する。検出された基板パラメータ値は、基板パラメータメモリ／ライブラリ範囲からアクセスした記憶された基板パラメータ値及び／又は基板パラメータ範囲と比較され、信号がコントローラ３６に送信される。次いで、コントローラ３６が活性化し、コーティング材アプリケータ３２を起動したり、コーティング材アプリケータ３２からのコーティング材の流れを減少したり、コーティング材アプリケータ３２からのコーティング材の流れを停止したり、又はコーティング材アプリケータ３２からのコーティング材の流れの開始若しくは放出を抑制したりする（例えば、システム３２を動作可能にしたり、起動したり、又はターンオンすること等を許可しない））。さらに、コントローラ３６、又はシステム３２内に含まれる別の構成要素（図３に示される場合もあり、示されない場合もある）は、１つ以上の基板パラメータのステータスを証明する信号をディスプレイ３８に送信する。例えば、検出された基板パラメータが、アクセスされた基板パラメータ値を満たすか、若しくは満たすことに失敗した場合、又は（図３に示すように）基板パラメータメモリ３９ｂ内に記憶された及び／又は基板パラメータメモリ３９ｂからアクセスした許容可能な基板パラメータ範囲内に入るか、若しくは該範囲に入らない場合、コントローラ３６は、ディスプレイを起動して、ユーザに対して、システム３０が、例えば、起動可能であるか、停止されているか、且つ／又は影響を受けている若しくはさもなければ変更されていることを示し、且つ、例えば、コーティング材アプリケータ３２から放出されているコーティング材の流量に影響を与えることになる。
【００３８】
図４は、本開示の態様に係るさらなるシステムを示す図である。図４に示すように、システム４０は、例えば、噴射コーティング材アプリケータであり得るコーティング材アプリケータ４２を含み、システム４０は、第１の検出器４４ａ及び第２の検出器４４ｂとして示され且つ表される複数の検出器を含むが、システム４０は、示されている２つの検出器より多くの検出器をさらに含み得る。図４に示されているように、システム４０は、第１の検出器４４ａ、第２の検出器４４ｂ、及びコントローラ３６と通信する共有メモリ／ライブラリ４９をさらに含む。第１の検出器４４ａは、１つ以上の状態パラメータの検出を担当する検出器であり得る。図４にさらに示すように、特定の状態パラメータ値を第１の検出器４４ａによって検出することができる。第１の検出器４４ａは、メモリ／ライブラリ４９から、関連する状態パラメータ値又は許容可能な状態パラメータ値範囲にアクセスするために、信号を送信する。検出された状態パラメータ値は、メモリ／ライブラリ４９からアクセスした記憶された状態パラメータ値及び／又は状態パラメータ範囲と比較され、信号がコントローラ４６に送信されるか、又はさもなければコントローラ４６によってアクセスされる。
【００３９】
次いで、コントローラ４６を活性化し、且つ／又は図４に示されていないさらなる構成要素（例えば、空圧装置、油圧装置、電子装置等を含む）を活性化することができ、それにより、コーティング材アプリケータ４２を起動したり、コーティング材アプリケータ４２からのコーティング材の流れを減少したり、コーティング材アプリケータ４２からのコーティング材の流れを停止したり、又はコーティング材アプリケータ４２からのコーティング材の流れの開始若しくは放出を抑制したりする（例えば、システム４２を動作可能にしたり、起動したり、又はターンオンすること等を許可しない））。さらに、コントローラ４６、又はシステム４０内に含まれる別の構成要素（図４に示される場合もあり、示されない場合もある）は、１つ以上の状態パラメータのステータスを証明する信号をディスプレイ４８に送信する。例えば、検出された状態パラメータが、アクセスされた状態パラメータ値を満たすか、若しくは満たすことに失敗した場合、又は（図４に示すように）状態パラメータメモリ／ライブラリ内に記憶された及び／若しくは状態パラメータメモリ／ライブラリからアクセスした許容可能な範囲内に入る（若しくは該範囲に入らない）場合、コントローラ４６は、ディスプレイを起動して、検出された基板パラメータに関する情報を受信することにより、ユーザに対して、システム３０が、例えば、起動可能であるか、停止されているか、且つ／又は影響を受けている若しくはさもなければ変更されていることを示し、例えば、コーティング材アプリケータ４２から放出されているコーティング材の流量に影響を与える。
【００４０】
図４にさらに示すように、特定の基板パラメータ値を第２の検出器４４ｂによって検出することができる。第２の検出器４４ｂは、基板パラメータメモリ／ライブラリ４９から、関連する基板パラメータ値又は許容可能な基板パラメータ値範囲にアクセスするために、信号を送信する。図４にさらに示すように、特定の基板パラメータ値又は複数の基板パラメータを第２の検出器４４ｂによって検出することができる。第２の検出器４４ｂは、メモリ／ライブラリ４９から、関連する基板パラメータ値又は許容可能な基板パラメータ値範囲にアクセスするために、信号を送信する。検出された基板パラメータ値は、メモリ／ライブラリ４９からアクセスした記憶された基板パラメータ値又は基板パラメータ範囲と比較され、信号がコントローラ４６に送信される。
【００４１】
次いで、コントローラ４６を活性化し、且つ／又は図４に示されていないさらなる構成要素（例えば、空圧装置、油圧装置、電子装置等を含む）を活性化することができ、それにより、コーティング材アプリケータ４２を起動したり、コーティング材アプリケータ４２からのコーティング材の流れを減少したり、コーティング材アプリケータ４２からのコーティング材の流れを停止したり、又はコーティング材アプリケータ４２からのコーティング材の流れの開始若しくは放出を抑制したりする（例えば、システム４２を動作可能にしたり、起動したり、又はターンオンすること等を許可しない））。さらに、コントローラ４６、又はシステム４２内に含まれる別の構成要素（図４に示される場合もあり、示されない場合もある）は、１つ以上の基板パラメータのステータスを証明する信号をディスプレイ４８に送信する。例えば、検出された基板パラメータが、アクセスされた基板パラメータ値を満たすか、若しくは満たすことに失敗した場合、又は（図４に示すように）基板パラメータメモリ／ライブラリ内に記憶された及び／若しくは基板パラメータメモリ／ライブラリからアクセスした許容可能な範囲内に入る若しくは入らない場合、コントローラ４６は、ディスプレイを起動して、検出された基板パラメータに関する情報を受信することにより、ユーザに対して、システム４０が、例えば、起動可能であるか、停止されているか、且つ／又は影響を受けている若しくはさもなければ変更されていることを示し、例えば、コーティング材アプリケータ４２から放出されているコーティング材の流量に影響を与える。
【００４２】
図１、図２、及び図４は、コントローラにアクセスする、及び／又はコントローラに情報を中継する１つのメモリ／ライブラリを示す。図３は、コントローラに別々にアクセスする、及び／又はコントローラに別々に情報を中継する２つのメモリ／ライブラリを示す。しかしながら、本態様によれば、システム構成要素と通信し、信号を１つ以上のコントローラ又はコントローラと通信している構成要素に供給可能である任意の数のメモリがさらに検討されている。
【００４３】
図１、図２、図３、及び図４に示されているシステムでは、列挙された構成要素は、複数の機能を実行する１つ以上の物理的ユニットに統合されるか又は組み込まれ得る。つまり、単一のユニット若しくは構成要素、又は複数のユニット若しくは構成要素は、検出、制御、表示、及び記憶機能を実行し得るが、これらの機能は、一連の別々の構成要素によって行う必要はない。さらに、さらなる態様によれば、図１、図２、図３、及び図４に示す各システムでは、列挙された構成要素はそれぞれ複数個あってもよい。
【００４４】
図１、図２、図３、及び図４では示されていないが、例示されたシステムは、コーティング材を施すのに使用される構成要素を含み、当該構成要素は、限定するわけではないが、本明細書の図６Ａ、図６Ｂ、図６Ｃ、図７Ａ、及び図７Ｂの代表的実施例では、噴射アプリケータであるコーティング材アプリケータとして示されている。しかし、これは、他のコーティング材アプリケータと置き換えられてもよく、他のコーティング材アプリケータも検討されている。
【００４５】
図５は、ある特定の物体、すなわち、航空機５０を図示している。航空機５０は、本明細書で提示された方法、システム、及び装置の態様に従ってコーティングされ得る基板表面を有する。図示されているように、航空機５０は、このような基板表面を有する胴体５２を含む。図５では航空機が示されているが、本明細書で開示されるシステム、装置、及び方法は、任意の所望の物体の基板表面のコーティングに使用され得る。任意の所望の物体には、建物、橋、航空機、回転翼航空機、宇宙船、衛星、地上ビークル、水上及び水面下ビークル等が含まれるが、これらに限定されない。さらに、本明細書に開示されるシステム、装置、及び方法は、複雑な平面の及び複雑に輪郭付けられた基板表面を含む、平面の又は輪郭付けられた表面をコーティングするように使用され得る。
【００４６】
図６Ａ及び図６Ｂは、それぞれ、本開示の態様に係る、装置、システム、及び方法の斜視側面図、及び俯瞰図又は上面図である。図６Ｃ及び図６Ｄは、それぞれ、本開示の態様に係る、さらなる装置、システム、及び方法の斜視側面図、及び俯瞰図又は上面図である。図６Ａ及び図６Ｂに示す態様と図６Ｃ及び図６Ｄに示す態様とを比べたときの差異は、検出器の数と位置である。図６Ａ及び図６Ｂでは、１つの検出器６８が、２つの検出ビーム６８ａを発しているように示されている。図６Ｃ及び図６Ｄは、２つの検出器７８及び７８’を示している。各検出器は、ノズル６５を挟むように位置付けされており、各検出器７８、７８’は、それぞれ１つの検出ビーム７８、７８’を発している。
【００４７】
図６Ａ、図６Ｂ、図６Ｃ、及び図６Ｄに示すように、システム６０は、コーティング材アプリケータ６２を含む。コーティング材アプリケータ６２は、送気管６３と連通するコーティングリザーバ６１をさらに含む。コーティング材リザーバ６１は、所定量のコーティング材を含むか、又はさもなければコーティング材の供給部（図示せず）と連通するように寸法形成されている。コーティング材は、例えば、塗料、下塗り塗料、上塗り塗料、樹脂材料等であり得る。送気管６３は、コーティング材リザーバ６１からのコーティング材の供給を助ける圧力を、需要に応じて、付与且つ供給するように設計されている。コーティング材アプリケータ６２からのコーティング材の加圧流の供給を助けるために、送気管６３は、流体に対して圧力を発生させることが可能なポンプ又は他のデバイス（図示せず）とさらに連通している。代替的な態様（図示せず）では、送気管６３は、加圧された流体（例えば、空気又は不活性ガスであり得るその他のガス等）の源と連通している。このような代替的な構成により、ポンプの必要性がなくなる。
【００４８】
図６Ａ、図６Ｂ、図６Ｃ、及び図６Ｄにさらに示すように、噴射コーティング材アプリケータとして示されているコーティング材アプリケータ６２は、コーティング材リザーバ６１と連通しているように示されているアプリケータ本体６４をさらに備えている。コーティング材アプリケータ６２は、ノズル６５をさらに含む。ノズル６５は、コーティング材アプリケータ６２から、例えば、基板６７の基板表面６７にコーティング材流６６を施すためのものである。コーティング材アプリケータ６２は、基板パラメータを検出するための検出器６８をさらに含む。図６Ａ及び図６Ｂに示すように、「立体的（ｓｔｅｒｅｏ）」な三次元使用のための信号を生成する目的で、検出器６８から２つの検出ビーム６８ａが放出される。該ビームは、基板パラメータに関する情報を検出器６８に戻す。検出器６８には、視覚を利用したり、赤外線を利用したりするカメラや立体カメラ等が含まれ得るが、これらに限定されない。１つより多くの検出器が、コーティング材アプリケータ６２内に組みこまれてもよい。図６Ａ及び図６Ｂの検出器６８では、１つの検出器６８（例えば、カメラ）から複数のビームが放出されているように示されているが、１つ以上のビームを放出する複数の検出器を使用することが可能であり、検出器は、所望に応じて任意の配向に位置付けされ、ノズル６５の側に位置付けされ得る。つまり、例えば、図６Ｃ及び図６Ｄに示すように、２つの検出器（７８及び７８’）が示されており、ノズル６５の両側に１つずつ設けられている。
【００４９】
図６Ａ、図６Ｂ、図６Ｃ、及び図６Ｄに示すように、コントローラ６９は、コーティング材アプリケータ６２と一体化されているように示されている。コントローラ６９は、信号を送受信することが可能であり、組み込み型センサ、Ｗｉ−Ｆｉ、Ｂｌｕｅ  Ｔｏｏｔｈ、ＧＰＳ等を含み得るが、これらに限定されない。検出ビーム６８ａ、７８ａ、又は７８ａ’が、許容された表面パラメータ値のメモリ（図示せず）からアクセスされたパラメータ値を満たすか、又は許容可能なパラメータ範囲内に入る基板パラメータ値を検出すると、コントローラ６９に組み込まれているか又はさもなければコントローラ６９と通信しているプロセッサ（図示せず）は、コントローラが、コーティング材アプリケータ６２を「ＯＮ」モードで作動させることを可能にする。「Ｏｎ」モードは、ディスプレイ７１上で示される。ディスプレイ７１は、人間のユーザ又はロボットに警告を発するようフィードバック及びリアルタイムモニタリングを与えるために、警告インジケータ、距離フィードバック、視覚的／赤外線情報、可聴警報、触覚警報（例えば、パルス又は振動が伴うブザー等）を備えたＬＣＤディスプレイであり得るが、これに限定されない。別の態様では、ディスプレイは、人間のユーザ又はロボットに警告を発するようフィードバック及びリアルタイムモニタリングを与えるために、警告インジケータ、距離フィードバック、視覚的／赤外線情報、可聴警報、触覚警報（例えば、パルス又は振動が伴うブザー等）を備えたスマートフォン又はタブレットであり得る。図６Ａ、図６Ｂ、図６Ｃ、及び図６Ｄでは、コーティング材アプリケータ６２にハンドル７２及びトリガー７３が組み込まれているように示されている。ハンドル７２及びトリガー７３は、望まれる場合、手動操作でシステムの遮断を止めるために、オペレータが利用することができる。
【００５０】
図６Ｂは、図６Ａに示すシステム６０の俯瞰図である。図６Ｂに示すように、コーティング材アプリケータ６２は、基板表面に対して実質的に平行に位置付けされている。検出ビーム６８ａは、検出ビームが検出器６８によって発せられていることを示す点線によって表され、基板表面６７ａに対して実質的に直角な方向的配向で検出器６８によって受信される。本態様によれば、検出ビーム６８ａの角度が、基板表面６７ａに対して実質的に直角な配向に留まるとき、コーティング材アプリケータは、アプリケータから基板表面へと所定の材料流を放出することになる。図６Ａ及び図６Ｂに示すシステム６０は、「ＯＮモード」を表す。ここでは、基板パラメータは、コーティング材アプリケータから基板表面へコーティング材流を供給するために最適であると検出されている。
【００５１】
図６Ｄは、図６Ｃに示すシステム６０の俯瞰図である。図６Ｄに示すように、コーティング材アプリケータ６２は、基板表面に対して実質的に平行に位置付けされている。検出ビーム７８ａ、７８ａ’は、検出ビームが検出器７８ａ、７８ａ’によって発せられていることを示す点線によって表され、基板表面６７ａに対して実質的に直角な方向的配向で検出器７８ａ、７８ａ’によって受信される。本態様によれば、検出ビーム７８ａ、７８ａ’の角度が、基板表面６７ａに対して実質的に直角な配向に留まるとき、コーティング材アプリケータは、アプリケータから基板表面へと所定の材料流を放出することになる。図６Ａ、図６Ｂ、図６Ｃ、及び図６Ｄに示すシステム６０は、「ＯＮモード」を表す。ここでは、基板パラメータは、コーティング材アプリケータから基板表面へコーティング材流を供給するために最適であると検出されている。
【００５２】
図７Ａ及び図７Ｂは、本開示の態様に係る、装置、システム、及び方法の斜視図であり、システム６０（図６Ａ、図６Ｂ、図６Ｃ、及び図６Ｄに示す）と類似しつつも有意な違いを有するシステム７０を示す。図７Ａ及び図７Ｂは、コーティング材アプリケータから基板表面へコーティング材流を供給するために最適ではない表面パラメータの検出を示しており、「ＯＦＦモード」を示している。ここでは、コーティング材アプリケータから基板表面へのコーティング材流の供給が終了しているか、又は開始が許可されていない。
【００５３】
図７Ａ及び図７Ｂに示すように、コーティング材アプリケータ６２は、（例えば、図６Ａ、図６Ｂ、図６Ｃ、及び図６Ｄに示す、基板に対するコーティング材アプリケータ６２の配向と比較して）基板６７及び基板表面６７ａに対してもはや実質的に平行ではないように位置付けされている。結果的に、図７Ａ及び図７Ｂに示すように、検出器６８から発せられている検出ビーム６８ａは、もはや基板表面６７ａに対して実質的に直角な配向で基板表面６７ａに衝突しない。検出器６８は、検出ビーム６８ａから検出器６８に中継された情報を評価することによって、コーティング材アプリケータ６２の位置におけるこの偏位を監視する。検出器６８は、コーティング材アプリケータ６２からのコーティング材の、望ましくない、制御されていない、不均一な放出に対して、及び、潜在的に、望ましくない、制御されていない、不均一な基板表面６７へのコーティング材の堆積に対して予防を講じるために、信号をコントローラ６９に送信する。コントローラ６９は、次いで、所望のコーティング位置（例えば、基板６７及び基板表面６７ａに対して実質的に平行な位置）から外れたコーティング材アプリケータ６２によって引き起こされるシステムの不均衡を感知する。次に、コントローラ６９は、コーティング材アプリケータから発せられているコーティング材流を停止するか、又は予測的に変更し、コーティング材アプリケータ６２の偏差位置に対処する。
【００５４】
コントローラによってコーティング材流が変更される度合いは、コーティング材流（例えば、容積、圧力、速度、コーティング率等）の削減、コーティング材流（例えば、容積、圧力、速度、コーティング率等）の増加、及び動作終了及びコーティング材流の放出の停止又は終了を含む。コーティング動作がまだ開始されていないとき、コーティング材アプリケータが、理想的な材料堆積位置（例えば、基板に対して実質的に平行等）に対して「外の位置」にあると検出された場合、且つ／又はコーティング材流が、理想的なコーティング材堆積流（例えば、基板表面に対して実質的に直角ではない堆積流等）に対して「外の位置」にあると検出された場合、コーティング材アプリケータからのコーティング材流は、コーティング材アプリケータからのコーティング材流を終了又はさもなければ防止するほどの度合い及びこれらのことを含む度合いに変更されることになる。
【００５５】
基板パラメータの検出に加えて、さらなる態様によると、コーティング材アプリケータは、限定しないが、例えば、温度や湿気等を含む周囲要因又は環境要因を含む上述の状態パラメータを検出することができる。さらなる状態パラメータには、コーティングアプリケータから施された又は施されるべきコーティング材の放出若しくは状態を対象とした要因、並びに／又はコーティング材アプリケータから基板表面へのコーティング材の供給及び／若しくは塗布を対象とする要因等が含まれ得る。この場合、このような状態パラメータには、コーティング材アプリケータからのコーティング材の放出を制御することに関連する特性を監視する又はさもなければ考慮する要因が含まれ得る。このような要因には、例えば、コーティング材アプリケータから放出されたコーティング材の流れの速度及び／又は加速度、コーティング材アプリケータから施されるコーティング材の部分的容積及び／又は総容積、コーティング材アプリケータと連通しているタンク又はその他の供給保管手段に残留しているコーティング材の部分的容積及び／又は総容積、基板に堆積されたコーティングの厚さ、コーティング材アプリケータから放出された噴射コーティングの基板に対する角度等、周囲温度や湿度、（例えば、成分が懸濁液で沈殿したコーティング材の放出を回避するために）コーティング材が、適切な成分濃度を含有且つ維持することを確証することを含むコーティング材の状態等が含まれ得る。さらなる態様では、コーティング材アプリケータは、状態パラメータ及び状態パラメータの両方を検出することができる。
【００５６】
図８は、本開示の一態様に係る方法を概説するフロー図である。図８に示すように、方法８０は、コーティング材アプリケータからコーティング材を、基板表面を有する基板に供給するための方法を対象としている。概説された方法８０は、検出された状態パラメータ値を形成するために、基板パラメータ検出器で少なくとも１つの基板パラメータを検出することであって、前記基板パラメータ検出器が、コントローラと通信する、少なくとも１つの基板パラメータを検出すること８１と、基板パラメータメモリから基板パラメータ値及び／又は範囲にアクセスすること８２と、検出された基板パラメータを基板パラメータメモリからアクセスされた基板パラメータ値及び／又は基板パラメータ値範囲と比較すること８３と、基板パラメータ値信号をコントローラに送信すること８４と、検出された基板パラメータに応答して、コーティング材アプリケータからのコーティング材を、放出すること、放出を変更すること、又は放出を抑制することによって、コーティング材アプリケータからの所定量のコーティング材の放出を制御すること８５とを含む。
【００５７】
図９は、本開示の一態様に係る方法を概説するフロー図である。図９に示すように、方法９０は、コーティング材アプリケータからコーティング材を、基板表面を有する基板に供給するための方法を対象としている。概説された方法９０は、検出された状態パラメータ値を形成するために、状態パラメータ検出器で少なくとも１つの状態パラメータを検出することであって、前記状態パラメータ検出器が、コントローラと通信する、少なくとも１つの状態パラメータを検出すること９２と、状態パラメータメモリから状態パラメータ値及び／又は状態パラメータ範囲にアクセスすること９３と、検出された状態パラメータを状態パラメータメモリからアクセスされた状態パラメータ値及び／又は状態パラメータ値範囲と比較すること９４と、状態パラメータ値信号をコントローラに送信すること９６と、検出された状態パラメータに応答して、コーティング材アプリケータからのコーティング材を、放出すること、放出を変更すること、又は放出を抑制することによって、コーティング材アプリケータからの所定量のコーティング材の放出を制御すること９８とを含む。
【００５８】
図１０は、本開示の一態様に係る方法を概説するフロー図である。図１０に示すように、方法１００は、コーティング材アプリケータからコーティング材を、基板表面を有する基板に供給するための方法を対象としている。概説された方法１００は、検出された状態パラメータ値を形成するために、状態パラメータ検出器で少なくとも１つの状態パラメータを検出することであって、前記状態パラメータ検出器が、コントローラと通信する、少なくとも１つの状態パラメータを検出すること１０１と、状態パラメータメモリから状態パラメータ値及び／又は範囲にアクセスして、検出された状態パラメータをアクセスされた状態パラメータ値及び／又は範囲と比較すること１０２と、検出された基板パラメータ値を形成するために、基板パラメータ検出器で少なくとも１つの基板パラメータを検出することであって、前記基板パラメータ検出器が、コントローラと通信する、少なくとも１つの基板パラメータを検出すること１０３と、基板パラメータメモリから基板パラメータ値及び／又は範囲にアクセスして、基板パラメータメモリからアクセスされた基板パラメータ値及び／又は範囲を検出された基板パラメータを比較すること１０４と、状態パラメータ値信号をコントローラに送信すること１０５と、基板パラメータ値信号をコントローラに送信すること１０６と、検出された基板パラメータ及び／又は検出された状態パラメータに応答して、コーティング材アプリケータからのコーティング材を、放出すること、放出を変更すること、又は放出を抑制することによって、コーティング材アプリケータからの所定量のコーティング材の放出を制御すること１０７とを含む。
【００５９】
本態様に係る、コーティング材アプリケータからのコーティング材の放出を開始及び抑制するための非限定的な例示プロトコールが、例示のみを目的として以下で提供される。
【実施例１】
【００６０】
コーティング材アプリケータは、電源投入されて、アプリケータに対向する基板表面を有する基板から所望の距離において且つ該基板に対して実質的に平行に位置付けされる。オペレータは、コーティング材アプリケータと通信する組み込み型スキャナ又は遠隔スキャナを用いて、基板上の部品コードをスキャンして、基板（例えば、コーティングされる部品）を認識する。部品コードが存在しない場合、オペレータは、コーティング材アプリケータと通信する立体カメラ又は遠隔カメラユニットを介して、組み込み型検出器を用いて、基板の画像を撮像する。組み込み型コントローラ（又はコントローラと通信する検出器）は、内部メモリに関連付けられる（又は、クラウドストレージベースのメモリから情報を取り出す）。リアルタイムでは、検出器は、温度（周囲及び／又は基板温度）、湿度、基板に対するアプリケータの角度、基板表面からのアプリケータ及び／又はアプリケータ噴射ヘッドの距離、アプリケータ空気圧力、塗料粘度等を含む状態パラメータ及び／又はさらなる基板パラメータをさらに評価する。本態様に従って検出されるさらなる状態パラメータは、コーティング材組成として規定されるコーティング材の「同一性（ｉｄｅｎｔｉｔｙ）をさらに含む。コーティング材が、非均一混合物（例えば、成分が、時間が経つと「沈殿」したり、又はさもなければ希釈したり、又はコーティング材のポットライフにおける懸濁液の望ましい状態とは異なる状態になる）である場合、このようなコーティング材組成の変化は、さらに検出されてシステムに報告され、さもなければ、コーティング材アプリケータからのコーティング材の流れを変更又は終了する必要が検討される。このようなコーティング材組成における変動は、リアルタイムでコーティング材から検出することができ、又は、（例えば、コーティングの不透明性、半透明性、色、反射性、仕上げ等における変化をモニタリング且つ検出することに関連して）基板に堆積されたコーティング材をモニタリングすることによって、検出器によって判定することができる。
【００６１】
例えば、リアルタイムの作動及びコーティング材の放出の間、アプリケータは、コーティング材流の加速度及び／又は粘度、流量等をさらに評価する。状態パラメータ及び基板パラメータがアプリケータによって確認されると、部品が認証され、基板表面が清浄でありコーティングの準備が整っていることが確認される。アプリケータは、準備モード又はアプリケータインジケータで示される「オンモード」となり、コーティング材アプリケータからのコーティング材の放出が開始される。コーティング材の放出は、噴射流角度、アプリケータ角度、距離、速度、加速度、圧力を含むリアルタイム情報をコントローラに提供する立体カメラを少なくとも介して、アプリケータによってリアルタイムで継続的にモニタリングすることができ、これにより、状態パラメータ及び基板パラメータを、許容可能な且つメモリにアクセスした値、範疇、限界値等の範囲内に確実に維持する。
【００６２】
手動モード（オペレータが人間のオペレータであり得る場合）では、コーティング工程中の情報は、視覚的手段、聴覚的手段（警告アラーム等）、及び／又は触覚的手段（振動等）のうちの少なくとも１つを介して、オペレータに伝達される。視覚的手段のうちの１つは、テキスト情報、メッセージ、光、光パターン、光色変化等をアプリケータディスプレイ上で生成することである。
【００６３】
自動モード（オペレータがロボット又はその他の自動化された手段である場合）では、コーティング材アプリケータは、スマート適応機能を含む。このスマート適応機能により、アプリケータからコーティング材が放出される間、コントローラは、バルブ等を変動的に調節し、空気及びコーティング材の流れを制御し、基板表面のコーティング材の均一性が、センサ及び／又は検出器等から受信した動的状態に基づいて、メモリ又はクラウドベースからアクセスされた許容値又は許容範囲等の範囲内に確実に留まらせる。コーティングの厚さが感知且つ達成されると、コーティングされた基板表面を示す完了形の写真を撮り、それに解析結果（コーティング材供給量／流量、使用される空気圧力、作動中の温度及び湿度、材料堆積の角度、パスの数、コーティングの厚さ、表面の質感、並びにその他の統計値など）を添付することができる。このようなコーティング動作の完成の情報を品質制御部又は検査機能部に送信して、動作の成功を認証することができる。
【００６４】
実施例２
コーティング状態パラメータ及び／又は基板パラメータが確認されていないか、又はさもなければ存在していない場合、コーティング材アプリケータは動作しない。例えば、基板（例えば、部品）情報をロードするために、オペレータは、部品コードをスキャンし、コントローラは、内部メモリ又は遠隔メモリ（例えば、クラウドベースストレージ等）に関連付けられるか、これらにアクセスする。このような情報には、部品画像、温度及び湿度限界値／範囲、角度、距離、空気圧、塗料粘度、流量、加速度、並びに流速等が含まれる。該部品は、コーティング材アプリケータに組み込まれた又はコーティング材アプリケータと通信する立体カメラ又はその他のカメラを介して認証される。カメラ又はその他のセンサが、正確な部品が存在しない、又は部品が清浄ではない、又はさもなければ部品のコーティング準備ができていないと判断した場合、１つ又は複数のコーティング材放出機構（例えば、トリガーや開放弁等）は使用不可となり、アプリケータは、コーティング材を放出しない。同様に、コーティング材アプリケータに組み込まれたセンサ及び検出器が、状態パラメータ及び／又は基板パラメータが、（取得された又はアクセスされた許容誤差、値、範疇等の範囲内にあることにより）「満たされていない」と判断した場合、１つ又は複数のコーティング材放出機構（例えば、トリガーや開放弁等）は使用不可となり、アプリケータは、コーティング材を放出しない。
【００６５】
実施例３
さらに、状態パラメータ及び基板パラメータが最初に満たされ、コーティング材アプリケータがコーティング材を放出することが可能になるけれど、コーティング動作の間に状態が変化した場合、アプリケータからのコーティング材の放出は、変更されるか、又は終了する。つまり、基板又は状態パラメータに影響を与える変動状態は、１つ以上の組み込み型カメラ、センサ、検出器等によって（又はコーティング材アプリケータから遠隔に位置するが、コーティング材アプリケータと通信している１つ以上のカメラ、センサ、検出器によって）リアルタイムで、コーティング材アプリケータによって認識されることになる。つまり、基板及び／又は状態パラメータにおけるこのような感知された変化は、コーティング材アプリケータのディスプレイに合図されて、視覚的（例えば、一体型ディスプレイ上のＬＥＤインジケータ）、聴覚的、又は触覚的アラームを介して、オペレータに警告がなされる。エラーコードを、ディスプレイ上に表示されるように送信することができ、オペレータは、様々なコーティング材放出の供給要因（例えば、流量、角度、距離、圧力、流速、加速度等）を変更することにより、リアルタイムで修正処置を行うことができる。コーティング材放出要因の変更を通して、状態の変更を修正することができない場合、アプリケータは、コーティング材アプリケータの材料放出機構を使用不可能にする「オフモード」に切り替えられるので、コーティング材アプリケータからのコーティング材の放出は終了する。
【００６６】
自動化モードでは、アプリケータからのコーティング材の放出に影響を与える要因（例えば、放出速度、圧力、距離補正、角度補正等を含む）を変更することによって、認知されたパラメータ変化が考慮されることになる。コーティング材放出要因の変更を通して、状態の変更を修正することができない場合、アプリケータは、コーティング材アプリケータの材料放出機構を使用不可能にする「オフモード」に切り替えられるので、コーティング材アプリケータからのコーティング材の放出は終了する。
【００６７】
任意の有用な構成要素を、本明細書に開示されたコーティング材アプリケータに組み込むことができるが、さらなる態様によれば、Ｒａｓｐｂｅｒｒｙ  Ｐｉ、Ａｒｄｕｉｎｏ、及び／又は産業用スマートフォンやタブレット等を使用することができる。スマートフォンを使用する場合、例えば、画像認識を用いてカスタムＡｐｐを開発することができる。さらなる態様によれば、例えば、湿度／温度センサ（例えば、Ａｒｄｕｉｎｏ  ＤＨＴ１１及び湿度センサ）、立体赤外線／視覚カメラ、ＧＰＳユニット、加速度計等を含む検出器も現在開示されているコーティング材アプリケータに組み込むことができる。同様に、例えば、様々な有用なＬＣＤ又はその他のディスプレイを、本明細書に記載されたコーティング材アプリケータに組み込むことができる。有用な組み込み型データ入力／出力には、例えば、遠隔アクセスストレージ、クラウドデータ、バーコード又はＱＲコードスキャン等が含まれるが、これらに限定されない。
【００６８】
本明細書に記載された方法、システム、及び装置との使用が検討されているセンサ又は検出器を介して、「入力」ステーションから集められたデータに関して言うと、このような「入力」ステーションは、例えば、カメラ（視覚及びＩＲ）、距離レーザ、ＧＰＳ、加速度計等を含むことができ、温度、湿度、位置調整、速度、加速等に関連付けられる情報データ収集を実行することができる。
【００６９】
さらなる態様によれば、本明細書に記載された方法、システム、及び装置との使用が検討されているセンサ又は検出器を介して、「入力ステーション」から基板パラメータに関連して収集されるさらなるデータは、例えば、部品認識、並びに塗料及びその他のコーティング材に関連するコードのためのＱＲコード読み取り装置又はシステムを含み得る。
【００７０】
「入力ステーション」における追加のデータ入力には、スクリーン上のキーパッド又はメニューボタンの使用及び組み込みが含まれる。このキーパッド又はメニューボタンは、例えば、上向き／下向き矢印や許可／不許可フィールド等を示すフィールドを有する。
【００７１】
現在検証されているコントローラは、内蔵メモリと通信しているか、又はさもなければ内蔵メモリを含んでいる。この内蔵メモリは、流量、距離、噴射角度、アプリケータの位置付け、温度、湿度、運動パターン、最小／最大のコーティング堆積厚さ、コーティング堆積速度、部品形状、基板表面特徴等に関連して許容可能とみなされた所定の値又は範囲に関連する。ファームウェアアルゴリズムは、システム教育／訓練モード、形状認識、限界値及び範囲、並びにその他の分析結果を促進することにより、本方法、システム、及び装置を支援する。コントローラは、コーティング材の流れ及び／又は放出の終了時（終了時を含む）までの期間、コーティング材アプリケータを有効化若しくは無効化することにより、又は、本明細書に記載されたコーティング材アプリケータからのコーティング材の排出又は放出を変更することによって、自動化システムを制御することができる。他の態様によれば、さらなるコントローラ機能には、コーティング材の流量や空気圧率等を自動的に制御又は調節／変更するためにアナログ出力を制御することが含まれる。
【００７２】
さらなる態様によれば、「出力」として本開示のコーティング材アプリケータ、システム、及び方法に組み込まれるシステム及び装置には、視覚的、聴覚的、及び触覚的（例えば、振動的等）信号（例えば、ディスプレイ上の聴覚的警告及び／又は警告表示）を示すために、読み出し部にデジタル的に供給されるフィードバックが含まれる。視覚的ディスプレイに関しては、様々な付帯的意味を有する様々な色（例えば、緑、黄、赤等）のＬＥＤが、ＬＣＤスクリーンに方向付けられ、ＬＣＤスクリーン上に表示され得る。
【００７３】
さらに、さらなる態様によれば、本開示の方法、システム、及び装置は、学習した限界値から状態パラメータ及び／又は基板パラメータを開発することを含む。この限界値は、例えば、（時間をかけてコーティング材アプリケータをユーザ向けにカスタマイズするために）、本開示のシステム及び装置が、ユーザ（例えば、オペレータ）のコーティング材の塗布の好みやコーティング材の塗布技法等に接することによる機械的な学習を通して学習したものである。このような機械的学習は、開示された方法のステップを実行するために構成された処理回路を備えた有用な演算装置を含み得、これにより、ユーザの癖や特性等を学習して応用するための、開示されたコーティングシステム及び装置が可能となる。
【００７４】
本発明の態様は、当然ながら、本発明の本質的な特徴から逸脱せずに、本明細書に具体的に提示された方法よりも他の方法で実施することが可能である。本開示の態様は、あらゆる点で、例示的且つ非限定的であるとみなすべきであり、特許請求の範囲の意味及び均等性の範囲内に入るすべての変更は、特許請求の範囲に包含されることが意図されている。
【００７５】
さらに、本開示は、下記の条項に係る実施形態を含む。
【００７６】
条項１
実質的に均一なコーティングを堆積させるためのシステムであって、少なくとも１つの状態パラメータ及び少なくとも１つの基板パラメータを検出するように構成された少なくとも１つの検出器、コントローラ、少なくとも１つの状態パラメータ又は少なくとも１つの基板パラメータのうちの少なくとも１つの収集を含み、前記コントローラと通信する少なくとも１つのメモリ、及び前記コントローラと通信するコーティング材アプリケータを備え、前記コントローラが、前記コーティング材アプリケータから基板へのコーティング材の放出を調節するように構成され、コーティング材の前記放出が、少なくとも１つの状態パラメータ又は少なくとも１つの基板パラメータに応じて行われるように構成され、前記基板が、基板表面を有する、システム。
【００７７】
条項２
前記状態パラメータが、周囲相対湿度、周囲温度、コーティング材の流量、距離、及び堆積されたコーティング材の厚さのうちの少なくとも１つを含む、条項１に条項のシステム。
【００７８】
条項３
前記基板パラメータが、基板識別子、基板形状、基板位置、前記基板表面から前記コーティング材アプリケータへの距離、前記基板表面に対する前記コーティング材の堆積の角度、前記コーティング材アプリケータに対する前記基板の運動を表す運動パターン、及び堆積されたコーティング材の厚さのうちの少なくとも１つを含む、条項１に記載のシステム。
【００７９】
条項４
前記状態パラメータ及び前記基板パラメータのうちの少なくとも１つの存在、並びに前記状態パラメータ及び前記基板パラメータのうちの少なくとも１つの不在のうちの少なくとも１つを合図するように構成されたディスプレイをさらに備えている、条項１に記載のシステム。
【００８０】
条項５
前記コントローラ及び前記検出器が単一のユニットに組み込まれている、条項１に記載のシステム。
【００８１】
条項６
前記コントローラ及び前記少なくとも１つの検出器が、前記コーティング材アプリケータに組み込まれている、条項１に記載のシステム。
【００８２】
条項７
前記コーティング材アプリケータが、手動で操作されるように構成されている、条項１に記載のシステム。
【００８３】
条項８
前記コーティング材アプリケータが、自動で作動されるように構成されている、条項１に記載のシステム。
【００８４】
条項９
前記コーティング材アプリケータが、ロボットと通信している、条項１に記載のシステム。
【００８５】
条項１０
前記コントローラが、ロボットと通信している、条項１に記載のシステム。
【００８６】
条項１１
前記ディスプレイが、視覚的インジケータ、聴覚的インジケータ、及び触覚的インジケータのうちの少なくとも１つを含む、条項４に記載のシステム。
【００８７】
条項１２
前記コントローラが、前記検出器と通信している、条項１に記載のシステム。
【００８８】
条項１３
少なくとも１つの状態パラメータを検出するように構成された第１の検出器であって、当該第１の検出器が、第１のメモリと通信し、前記第１のメモリが、少なくとも１つの状態パラメータの収集を含む、第１の検出器、及び少なくとも１つの基板パラメータを検出するように構成された第２の検出器であって、当該第２の検出器が、第２のメモリと通信し、前記第２のメモリが、少なくとも１つの基板パラメータの収集を含む、第２の検出器をさらに備えている、条項１に記載のシステム。
【００８９】
条項１４
前記コーティング材アプリケータが、噴射コーティング材アプリケータである、条項１に記載のシステム。
【００９０】
条項１５
コーティング材アプリケータであって、少なくとも１つの状態パラメータ及び／又は少なくとも１つの基板パラメータのうちの少なくとも１つを検出するように構成された少なくとも１つの検出器、前記コーティング材アプリケータからのコーティング材の流れを調節するように構成されたコントローラ、前記状態パラメータ及び前記基板パラメータのうちの少なくとも１つの存在、並びに前記状態パラメータ及び前記基板パラメータのうちの少なくとも１つの不在のうちの少なくとも１つを合図するように構成されたディスプレイを備え、前記コントローラは、前記コーティング材アプリケータから基板への一定量のコーティング材の放出を調節するようにさらに構成され、前記一定量の前記コーティング材の前記放出は、少なくとも１つの状態パラメータ又は少なくとも１つの基板パラメータに応じて行われるように構成され、前記基板は、基板表面を有する、コーティング材アプリケータ。
【００９１】
条項１６
前記コントローラが、少なくとも１つのメモリと通信し、前記メモリが、状態パラメータの収集又は基板パラメータの収集のうちの少なくとも１つを含む、条項１５に記載のコーティング材アプリケータ。
【００９２】
条項１７
前記コーティング材アプリケータが、噴射コーティング材アプリケータである、条項１５に記載のコーティング材アプリケータ。
【００９３】
条項１８
コーティング材アプリケータからコーティング材を、基板表面を有する基板に供給するための方法であって、検出された状態パラメータ値を形成するために、状態パラメータ検出器で少なくとも１つの状態パラメータを検出することであって、前記状態パラメータ検出器が、コントローラと通信する、少なくとも１つの状態パラメータを検出することと、状態パラメータメモリから状態パラメータ値範囲にアクセスすることと、前記状態パラメータメモリからの前記状態パラメータ値範囲を前記検出された状態パラメータ値と比較することと、状態パラメータ値信号を前記コントローラに送信することと、検出された基板パラメータ値を形成するために、基板パラメータ検出器で少なくとも１つの基板パラメータを検出することであって、前記基板パラメータ検出器が、前記コントローラと通信する、少なくとも１つの基板パラメータを検出することと、基板パラメータメモリから基板パラメータ値範囲にアクセスすることと、前記基板パラメータメモリからの前記基板パラメータ範囲を前記検出された基板パラメータ値と比較することと、基板パラメータ値信号を前記コントローラに送信することと、前記コーティング材アプリケータからの所定量のコーティング材の放出を制御することとを含む、方法。
【００９４】
条項１９
コーティング堆積速度を決定することと、前記コーティング材の前記コーティング堆積速度を制御することとをさらに含む、条項１８に記載の方法。
【００９５】
条項２０
少なくとも１つの検出された状態パラメータ値又は少なくとも１つの基板パラメータ値に基づいて、前記コーティング材アプリケータから前記所定量の前記コーティング材を放出することをさらに含む、条項１８に記載の方法。
【００９６】
条項２１
前記コーティング材アプリケータからの所定量のコーティング材の放出を制御するステップにおいて、前記コントローラから前記コーティング材アプリケータに送信された少なくとも１つの基板パラメータ信号に応答して、前記コーティング材アプリケータから前記所定量の前記コーティング材を放出することをさらに含む、条項１８に記載の方法。
【００９７】
条項２２
前記コーティング材アプリケータからの所定量の前記コーティング材の放出を制御するステップにおいて、前記コーティング材アプリケータからの前記所定量のコーティング材の放出を終了することを含む、条項１８に記載の方法。
【００９８】
条項２３
実質的に均一なコーティングを前記基板表面に供給することをさらに含む、条項１８に記載の方法。
【００９９】
条項２４
第１の検出器で少なくとも１つの状態パラメータを検出するステップにおいて、学習した限界値から状態パラメータを開発することをさらに含む、条項１８に記載の方法。
【０１００】
条項２５
前記コーティング材アプリケータから前記所定量の前記コーティング材を放出することが、実質的に均一なコーティングを前記基板表面に自動的に方向付けることをさらに含む、条項１８に記載の方法。
【０１０１】
条項２６
前記コーティング材アプリケータから前記所定量のコーティング材を放出することが、実質的に均一なコーティングを前記基板表面に手動で方向付けることをさらに含む、条項１８に記載の方法。
【図１】
2020104100.tif 000003
【図２】
2020104100.tif 000004
【図３】
2020104100.tif 000005
【図４】
2020104100.tif 000006
【図５】
2020104100.tif 000007
【図６Ａ】
2020104100.tif 000008
【図６Ｂ】
2020104100.tif 000009
【図６Ｃ】
2020104100.tif 000010
【図６Ｄ】
2020104100.tif 000011
【図７Ａ】
2020104100.tif 000012
【図７Ｂ】
2020104100.tif 000013
【図８】
2020104100.tif 000014
【図９】
2020104100.tif 000015
【図１０】
2020104100.tif 000016
【外国語明細書】
2020104100000001.pdf
2020104100000002.pdf
2020104100000003.pdf
2020104100000004.pdf